(57)【要約】【課題】発光体の輝度を制御して、複数の発光体から構成される演出手段に遊技演出を鮮やかに行わせることができる遊技機を提供すること。【解決手段】輝度制御基板４１の変換回路４３は、電源基板３５から入力した電流をＬＥＤ４０毎にパルス幅を調整したパルス電流に変換する。そして、変換回路４３は、変換したパルス電流をＬＥＤ４０毎に調整回路４２ａ〜４２ｄに出力する。調整回路４２ａ〜４２ｄは、パルス電流の電流値を複数段階を経てＬＥＤ４０毎に調整する。そして、輝度制御基板４１の調整回路４２ａ〜４２ｄは、電流値を調整したパルス電流を各ＬＥＤ４０に出力する。【選択図】        図５
2006223370.tif 000002
【特許請求の範囲】
【請求項１】
複数の発光体から構成され、遊技演出を実行する演出手段を備えた遊技機において、
電流を出力する出力部と、
前記出力部から出力された電流をパルス電流に変換して前記発光体に出力する制御部とを備え、
前記制御部は、パルス電流に変換する際、当該パルス電流のパルス幅及びその電流値を所定個数の発光体毎に調整して発光体の輝度の階調制御を行うことを特徴とする遊技機。
【請求項２】
前記制御部は、電流の電流値を調整する調整手段を複数備え、前記複数の調整手段によって電流の電流値を複数段階経て所望の電流値に調整することを特徴とする請求項１に記載の遊技機。
【請求項３】
前記制御部は、前記パルス電流の出力クロックを調整可能に構成されていることを特徴とする請求項２に記載の遊技機。
【請求項４】
複数の発光体から構成され、遊技演出を実行する演出手段を備えた遊技機において、
電流を出力する出力部と、
前記出力部から出力された電流をパルス電流に変換して前記発光体に出力する制御部とを備え、
前記制御部は、パルス電流に変換する際、当該パルス電流のパルス幅及びその電圧値を所定個数の発光体毎に調整して発光体の輝度の階調制御を行うことを特徴とする遊技機。
【発明の詳細な説明】
【技術分野】
【０００１】
本発明は、発光体の輝度の階調制御を行う遊技機に関するものである。
【背景技術】
【０００２】
遊技機の一種であるパチンコ機には、発光装飾に基づく発光演出を行う装飾ランプが設けられている。この装飾ランプは、複数のＬＥＤ（発光ダイオード）から構成されており、様々な発光態様で発光させることが可能である。例えば、各ＬＥＤの輝度を調整することにより、隣接するＬＥＤにおいて各発光が尾を引いて動くように発光させることもできる。
【０００３】
従来では、ＬＥＤの輝度の階調制御を行う方法として、ＰＷＭ（Pulse Width Modulation）制御（パルス幅変調制御）が採用されている（特許文献１）。パルス幅変調制御とは、一定周期で電流の出力及び出力停止を交互に繰り返し、１周期における電流の出力時間（パルス電流のパルス幅）を調整することにより、各ＬＥＤの輝度を制御する制御法である。
【特許文献１】特開２００３−１９０４１６号公報（段落番号［０００９］）
【発明の開示】
【発明が解決しようとする課題】
【０００４】
ところで、近年では遊技演出が複雑化、多様化しているため、装飾ランプもより多くの発光態様で鮮やかに発光できることが望ましい。しかしながら、パルス幅変調制御によってＬＥＤの輝度を調整する場合、ある程度まで輝度を小さくするとＬＥＤのちらつきが目立つようになる。すなわち、ＬＥＤの輝度を小さくするためにパルス電流のパルス幅を短くしすぎると（出力停止時間を長くしすぎると）、ＬＥＤが発光していない時間が長くなりすぎてＬＥＤが発光していないこと、つまり、ＬＥＤが点滅していることを認識できてしまう。このため、パルス幅だけを調整してＬＥＤの輝度を調整するには限度がある。従って、パルス幅変調制御では、複雑な遊技演出に対応した発光態様で装飾ランプを鮮やかに発光させることは難しいという問題があった。
【０００５】
この発明は、このような従来技術に存在する問題点に着目してなされたものであり、その目的は、発光体の輝度を制御して、複数の発光体から構成される演出手段に遊技演出を鮮やかに行わせることができる遊技機を提供することにある。
【課題を解決するための手段】
【０００６】
上記目的を達成するために、請求項１に記載の発明は、複数の発光体から構成され、遊技演出を実行する演出手段を備えた遊技機において、電流を出力する出力部と、前記出力部から出力された電流をパルス電流に変換して前記発光体に出力する制御部とを備え、前記制御部は、パルス電流に変換する際、当該パルス電流のパルス幅及びその電流値を所定個数の発光体毎に調整して発光体の輝度の階調制御を行うことを要旨とする。
【０００７】
請求項２に記載の発明は、請求項１に記載の発明において、前記制御部は、電流の電流値を調整する調整手段を複数備え、前記複数の調整手段によって電流の電流値を複数段階経て所望の電流値に調整することを要旨とする。
【０００８】
請求項３に記載の発明は、請求項２に記載の発明において、前記制御部は、前記パルス電流の出力クロックを調整可能に構成されていることを要旨とする。
請求項４に記載の発明は、複数の発光体から構成され、遊技演出を実行する演出手段を備えた遊技機において、電流を出力する出力部と、前記出力部から出力された電流をパルス電流に変換して前記発光体に出力する制御部とを備え、前記制御部は、パルス電流に変換する際、当該パルス電流のパルス幅及びその電圧値を所定個数の発光体毎に調整して発光体の輝度の階調制御を行うことを要旨とする。
【発明の効果】
【０００９】
本発明によれば、発光体の輝度を制御して、複数の発光体から構成される演出手段に遊技演出を鮮やかに行わせることができる。
【発明を実施するための最良の形態】
【００１０】
以下、本発明をその一種であるパチンコ遊技機（以下、「パチンコ機」と示す）に具体化した一実施形態を図１〜図６に基づき説明する。
図１には、パチンコ機１０の機表側が略示されており、機体の外郭をなす外枠１１の開口前面側には、各種の遊技用構成部材をセットする縦長方形の中枠１２が開閉及び着脱自在に組み付けられている。また、中枠１２の前面側には、機内部に配置された遊技盤１３を透視保護するためのガラス枠を備えた前枠１４と上球皿１５が共に横開き状態で開閉可能に組み付けられている。また、前枠１４の前面側及び遊技盤１３の遊技領域１３ａには、点灯（点滅）又は消灯し、発光装飾に基づく発光演出を行う装飾ランプ１６が設けられている。また、外枠１１の下部には、各種音声（効果音）を出力し、音声出力に基づく音声演出を行うスピーカ１７が設けられている。中枠１２の下部には、下球皿１８及び発射装置１９が装着されている。
【００１１】
遊技盤１３の遊技領域１３ａの略中央には、液晶ディスプレイ型の可変表示器Ｈを備えた表示装置２０が配設されている。可変表示器Ｈでは、変動画像（又は画像表示）に基づく遊技演出（表示演出）が行われるようになっている。そして、可変表示器Ｈでは、複数種類の図柄を複数列で変動させて表示する図柄組み合わせゲーム（図柄変動ゲーム）が行われるようになっている。本実施形態では、図柄組み合わせゲームで３列の図柄による組み合わせを導出し、該組み合わせを形成する各列の図柄の種類を１〜８の８種類としている。
【００１２】
そして、遊技者は、図柄組み合わせゲームにおいて最終的に表示された図柄組み合わせから大当り又ははずれを認識できる。可変表示器Ｈに表示された全列の図柄が同一種類の場合には、その図柄組み合わせ（［２２２］［７７７］など）から大当りを認識できる。この大当りを認識できる図柄組み合わせが大当りの図柄組み合わせとなる。大当りの図柄組み合わせが表示されると、遊技者には、大当り遊技状態が付与される。一方、可変表示器Ｈに表示された全列の図柄が異なる種類の場合、又は１列の図柄がリーチを形成する図柄とは異なる種類の場合には、その図柄組み合わせ（［１２３］［１２２］［７６７］など）からはずれを認識できる。
【００１３】
また、表示装置２０の下方には、図示しないアクチュエータ（ソレノイド、モータなど）の作動により開閉動作を行う開閉羽根２１を備えた始動入賞口２２が配設されている。始動入賞口２２の奥方には、入賞した遊技球を検知する始動口センサＳＥ１（図３に示す）が設けられている。始動入賞口２２は、遊技球の入賞検知を契機に、図柄組み合わせゲームの始動条件を付与し得る。また、始動入賞口２２の下方には、図示しないアクチュエータ（ソレノイド、モータなど）の作動により開閉動作を行う大入賞口扉２３を備えた大入賞口２４が配設されている。そして、大当り遊技状態が付与されると、大入賞口扉２３の開動作によって大入賞口２４が開放されて遊技球が入賞可能となるため、遊技者は、多数の賞球が獲得できるチャンスを得ることができる。
【００１４】
また、表示装置２０の上部には、大当り予告を行う予告ランプ２５が配設されている。大当り予告とは、大当りとなる可能性があることを予め遊技者に告げるための遊技演出（当否の可能性を示唆する演出）である。この予告ランプ２５は、多数のＬＥＤ（発光ダイオード）４０（図２及び図４参照）から構成されている。これらのＬＥＤ４０は、パチンコ機１０の正面から見た際に予告ランプ２５が丸形となるように配置されている。また、多数のＬＥＤ４０が密集して構成されているので、キャラクタや文字などの画像を表示することが可能である。なお、本実施形態の予告ランプ２５は、漁船に装備される魚群探知機を模しており、例えば、ＬＥＤ４０が発光することで、魚が近くに存在していることを表現している。また、図においては、ＬＥＤ４０の輝度を「○」の大きさで表現している。すなわち、「○」の大きさが大きいほどＬＥＤ４０の輝度が大きいことを表現し、「○」の大きさが小さいほどＬＥＤ４０の輝度が小さいことを表現している。従って、本実施形態では、ＬＥＤ４０が発光体となり、予告ランプ２５が遊技演出を行う演出手段となる。
【００１５】
次に、パチンコ機１０の制御構成を図３に基づき説明する。
パチンコ機１０の機裏側には、パチンコ機１０全体を制御する主制御基板３０が装着されている。主制御基板３０は、パチンコ機１０全体を制御するための各種処理を実行し、該処理結果に応じて遊技を制御するための各種の制御信号（制御コマンド）を演算処理し、該制御信号（制御コマンド）を出力する。また、機裏側には、演出制御基板３１が装着されている。演出制御基板３１は、主制御基板３０が出力した制御信号（制御コマンド）に基づき、可変表示器Ｈの表示内容（図柄、背景、文字などの表示画像）、装飾ランプ１６及び予告ランプ２５の発光態様（点灯（点滅）／消灯のタイミングなど）、スピーカ１７の音声出力態様（音声出力のタイミングなど）を制御する。
【００１６】
また、パチンコ機１０の機裏側には、予告ランプ２５の各ＬＥＤ４０の輝度の階調制御を行う輝度制御基板４１が装着されている。輝度制御基板４１は、演出制御基板３１及び予告ランプ２５の各ＬＥＤ４０と接続されている。また、パチンコ機１０の機裏側には、遊技場の電源（例えば、ＡＣ２４Ｖ）を、パチンコ機１０を構成する各種構成部材に供給する電源基板３５が装着されている。電源基板３５は、主制御基板３０、演出制御基板３１及び輝度制御基板４１に接続されている。そして、電源基板３５は、主制御基板３０、演出制御基板３１及び輝度制御基板４１に対し、所定の動作電圧を供給する。従って、本実施形態の電源基板３５は、電流を出力する出力部となる。
【００１７】
以下、主制御基板３０、演出制御基板３１、輝度制御基板４１の具体的な構成を説明する。
図３に示すように主制御基板３０には、メインＣＰＵ３０ａと、ＲＯＭ３０ｂと、ＲＡＭ３０ｃとが設けられている。メインＣＰＵ３０ａは、各種乱数の値を所定の周期毎に更新している。ＲＯＭ３０ｂには、パチンコ機１０を制御するためのメイン制御プログラムや複数種類の変動パターンが記憶されている。ＲＡＭ３０ｃには、パチンコ機１０の動作中に適宜書き換えられる各種情報（乱数の値など）が記憶（設定）されるようになっている。
【００１８】
変動パターンは、図柄が変動を開始（図柄組み合わせゲームの開始）してから全列の図柄が表示（図柄組み合わせゲームの終了）される迄の間の遊技演出（表示演出、発光演出、音声演出）のベースとなるパターンを示すものである。また、複数種類の変動パターンは、大当り演出用の変動パターンと、はずれ演出用の変動パターンとに分類されている。大当り演出は、図柄組み合わせゲームが、最終的に大当りの図柄組み合わせを表示するように展開される演出である。はずれ演出は、図柄組み合わせゲームが、はずれの図柄組み合わせを表示するように展開される演出である。
【００１９】
そして、メインＣＰＵ３０ａは、メイン制御プログラムに基づき、大当り判定、最終的に表示させる最終停止図柄の決定、及び変動パターンの決定などの各種処理を実行するようになっている。例えば、メインＣＰＵ３０ａは、図柄組み合わせゲームの開始時に大当り判定を実行する。大当り判定の判定結果が肯定の場合（大当りの場合）、メインＣＰＵ３０ａは、全列が同一種類となるように最終停止図柄を決定すると共に、大当り演出用の変動パターンの中から変動パターンを決定する。一方、大当り判定の判定結果が否定の場合（はずれの場合）、メインＣＰＵ３０ａは、全列が同一種類とならないように最終停止図柄を決定する。それと共に、メインＣＰＵ３０ａは、はずれ演出用の変動パターンの中から変動パターンを決定する。
【００２０】
変動パターン及び最終停止図柄を決定したメインＣＰＵ３０ａは、演出制御基板３１（サブＣＰＵ３１ａ）に対し、所定の制御コマンドを所定のタイミングで出力する。具体的に言えば、メインＣＰＵ３０ａは、変動パターンを指定すると共に図柄変動の開始を指示する変動パターン指定コマンドを最初に出力する。次に、メインＣＰＵ３０ａは、各列毎の最終停止図柄を指定するための図柄指定コマンドを出力する。その後に、メインＣＰＵ３０ａは、前記指定した変動パターンに定められている変動時間に基づいて変動停止を指示し、図柄組み合わせゲームを終了するための全図柄停止コマンドを出力する。
【００２１】
次に、演出制御基板３１について説明する。
演出制御基板３１は、サブＣＰＵ３１ａを備えており、該サブＣＰＵ３１ａにはＲＯＭ３１ｂ及びＲＡＭ３１ｃが接続されている。ＲＯＭ３１ｂには、可変表示器Ｈの表示内容、装飾ランプ１６及び予告ランプ２５の発光態様、スピーカ１７の音声出力態様などを制御するため演出制御プログラムなどが記憶されている。また、ＲＡＭ３１ｃには、パチンコ機１０の動作中に適宜書き換えられる各種情報が記憶（設定）されるようになっている。
【００２２】
そして、サブＣＰＵ３１ａは、主制御基板３０（メインＣＰＵ３０ａ）から制御コマンドを入力すると、演出制御プログラムに基づき、入力した制御コマンドに応じた制御を行う。具体的には、サブＣＰＵ３１ａは、変動パターン指定コマンドを入力すると、変動パターン指定コマンドにて指定された変動パターンで図柄を変動表示させて図柄組み合わせゲームを開始させるように可変表示器Ｈの表示内容を制御する。また、それと共に、サブＣＰＵ３１ａは、図柄の変動表示に対応させて装飾ランプ１６の発光態様、及びスピーカ１７からの音声出力態様を制御する。そして、サブＣＰＵ３１ａは、全図柄停止コマンドを入力すると、入力した図柄指定コマンドで指定された図柄組み合わせを可変表示器Ｈに表示させるように可変表示器Ｈの表示内容を制御する。この制御により、可変表示器Ｈでは図柄組み合わせゲームが行われる。
【００２３】
また、本実施形態のパチンコ機１０は、図柄組み合わせゲームの開始から所定時間経過後に、大当り予告が予告ランプ２５により行われるようになっており、演出制御基板３１（サブＣＰＵ３１ａ）が大当り予告の演出内容（すなわち、予告ランプ２５の発光態様）を決定するようになっている。本実施形態の大当り予告は、予告ランプ２５を構成するＬＥＤ４０が一定間隔で発光し、徐々に消える（即ち、ＬＥＤ４０の輝度が徐々に小さくなる）という演出内容（発光態様）で行われる（図４参照）。そして、本実施形態では、大当り予告の演出内容として２種類用意されている。具体的には、一定間隔で多数のＬＥＤ４０が発光し、且つ、発光するＬＥＤ４０の中で輝度の大きいものが多いという演出内容の大当り予告Ｙ１（図４（ａ）参照）と、一定間隔で小数のＬＥＤ４０が発光し、且つ、発光するＬＥＤ４０の中で輝度の大きいものが少ないという演出内容の大当り予告Ｙ２（図４（ｂ）参照）が用意されている。なお、本実施形態の大当り予告では、ＬＥＤ４０が発光する数で魚の数を表現し、ＬＥＤ４０の輝度の大きさで海上にどれだけ近いかを表現している。このため、大当り予告Ｙ１は、魚の数が多く、また、海上近くにいる魚が多いことを示していることとなる。また、大当り予告Ｙ２は、魚の数が少なく、また、深海にいる魚が多いことを示していることとなる。
【００２４】
そして、サブＣＰＵ３１ａは、変動パターン指定コマンドを入力すると、大当り予告の演出内容を決定する。具体的には、サブＣＰＵ３１ａは、大当り演出用の変動パターンを指定する変動パターン指定コマンドを入力すると、７割の確率で大当り予告Ｙ１を決定し、残り３割の確率で大当り予告Ｙ２を決定する。一方、サブＣＰＵ３１ａは、はずれ演出用の変動パターンを指定する変動パターン指定コマンドを入力すると、１割の確率で大当り予告Ｙ１を決定し、残り９割の確率で大当り予告Ｙ２を決定する。このため、大当り予告Ｙ１は、図柄組み合わせゲームが大当りとなる可能性が高いことを示す大当り予告となり、大当り予告Ｙ２は、図柄組み合わせゲームがはずれとなる可能性が高いことを示す大当り予告となる。
【００２５】
そして、サブＣＰＵ３１ａは、決定した大当り予告を表示させるように予告ランプ２５の発光態様を輝度制御基板４１を介して制御する。具体的には、サブＣＰＵ３１ａは、予告ランプ２５のＬＥＤ４０毎に、輝度制御基板４１の各調整回路４２ａ〜４２ｄに対して制御信号を出力することにより予告ランプ２５の発光態様を制御する。
【００２６】
次に、輝度制御基板４１の構成について説明する。
輝度制御基板４１は、図５に示すように、予告ランプ２５の各ＬＥＤ４０と接続されている。また、この輝度制御基板４１は、電源基板３５と接続されており、電源基板３５から電流を入力するようになっている。この輝度制御基板４１には、変換回路４３及び複数（本実施形態では４つ）の調整回路４２ａ〜４２ｄが設けられており、輝度制御基板４１は、これらの回路を介して、電源基板３５から入力した電流をパルス電流に変換する。そして、輝度制御基板４１は、これらの回路を介して、当該パルス電流のパルス幅及び電流値をＬＥＤ４０毎に調整し、ＬＥＤ４０毎に調整したパルス電流を出力して各ＬＥＤ４０の輝度の階調制御を行うようになっている。
【００２７】
以下、変換回路４３及び調整回路４２ａ〜４２ｄについて詳しく説明する。
前記変換回路４３は、入力した電流をパルス電流に変換する回路である。この変換回路４３は、ＰＷＭ（Pulse Width Modulation）制御（パルス幅変調制御）を行うことが可能な構成とされている。パルス幅変調制御とは、パルス電流（一定周期で電流の出力及び出力停止を交互に繰り返す電流）のパルス幅（１周期における電流の出力時間）を制御することである。そして、ＬＥＤ４０に入力するパルス電流のパルス幅を調整することにより、ＬＥＤ４０の輝度を調整することが可能となる。原則として、パルス幅を短くするほどＬＥＤ４０の輝度は小さくなる。なお、パルス電流のパルス幅を所定幅より短くしてＬＥＤ４０の輝度をある程度以下の輝度にすると、ＬＥＤ４０が発光していない期間が長くなりすぎてＬＥＤ４０のちらつきが目立つため、本実施形態では、パルス幅を所定幅以下にしないようにしている。
【００２８】
そして、この変換回路４３は、電源基板３５及び第１調整回路４２ａと接続されている。また、変換回路４３は、演出制御基板３１のサブＣＰＵ３１ａと接続されており、サブＣＰＵ３１ａからパルス電流のパルス幅を指定するパルス電流指定信号をＬＥＤ４０毎に入力する。そして、変換回路４３は、パルス電流指定信号に基づき、電源基板３５から入力した電流をＬＥＤ４０毎にパルス幅を調整したパルス電流に変換し、変換したパルス電流を調整回路４２ａ〜４２ｄに出力する。
【００２９】
次に、調整回路４２ａ〜４２ｄについて説明する。
輝度制御基板４１に設けられた４つの調整回路４２ａ〜４２ｄは、電流の電流値を調整する回路である。この４つの調整回路４２ａ〜４２ｄは、それぞれその特性が異なっている。具体的には、第１調整回路４２ａは、第１調整回路４２ａが入力した電流の電流値の２５％〜１００％となる範囲で電流値を調整可能に構成されている。また、第１調整回路４２ａは、その範囲において４ステップの電流値に調整可能に構成されている。例えば、入力した電流の電流値が１００Ａ（アンペア）である場合、第１調整回路４２ａは、２５Ａ、５０Ａ、７５Ａ、１００Ａのいずれかの電流値に調整することができる。
【００３０】
同様に、第２調整回路４２ｂは、第２調整回路４２ｂが入力した電流の電流値の６０％〜１００％となる範囲で電流値を調整可能に構成されている。また、第２調整回路４２ｂは、その範囲において４０ステップの電流値に調整可能に構成されている。例えば、入力した電流の電流値が１００Ａ（アンペア）である場合、第２調整回路４２ｂは、６０Ａ、６１Ａ…９９Ａ、１００Ａのいずれかの電流値に調整することができる。同様に、第３調整回路４２ｃは、第３調整回路４２ｃが入力した電流の電流値の５０％〜１００％となる範囲で電流値を調整可能に構成されている。また、第３調整回路４２ｃは、その範囲において５０ステップの電流値に調整可能に構成されている。例えば、入力した電流の電流値が１００Ａ（アンペア）である場合、第３調整回路４２ｃは、５０Ａ、５１Ａ…９９Ａ、１００Ａのいずれかの電流値に調整することができる。同様に、第４調整回路４２ｄは、第４調整回路４２ｄが入力した電流の電流値の２０％〜１００％となる範囲で電流値を調整可能に構成されている。また、第４調整回路４２ｄは、その範囲において８０ステップの電流値に調整可能に構成されている。例えば、入力した電流の電流値が１００Ａ（アンペア）である場合、第４調整回路４２ｄは、２０Ａ、２１Ａ…９９Ａ、１００Ａのいずれかの電流値に調整することができる。また、本実施形態では、第１調整回路４２ａ→第２調整回路４２ｂ→第３調整回路４２ｃ→第４調整回路４２ｄの順番で電流値を精度良く調整することができる。つまり、第４調整回路４２ｄが一番精度良く電流値を調整できる。
【００３１】
そして、第１調整回路４２ａは第２調整回路４２ｂと接続されており、第２調整回路４２ｂは第３調整回路４２ｃと接続されており、第３調整回路４２ｃは第４調整回路４２ｄと接続されている。そして、第４調整回路４２ｄは、各ＬＥＤ４０と接続されている。従って、変換回路４３から入力されたパルス電流は、第１調整回路４２ａ→第２調整回路４２ｂ→第３調整回路４２ｃ→第４調整回路４２ｄの順番で流れ、この順番で段階的にパルス電流の電流値が調整されるようになっている。すなわち、本実施形態では、パルス電流の電流値は、４つの調整回路４２ａ〜４２ｄにより４段階を経て調整される。なお、本実施形態の調整回路４２ａ〜４２ｄは、抵抗値を変更することができる一種の可変抵抗により構成されている。
【００３２】
そして、各調整回路４２ａ〜４２ｄは、それぞれ演出制御基板３１のサブＣＰＵ３１ａと接続されており、サブＣＰＵ３１ａからそれぞれ制御信号を入力する。具体的には、各調整回路４２ａ〜４２ｄは、電源基板３５から入力された電流値を基準としてそれぞれ調整すべき電流値を指定する電流値指定信号をＬＥＤ４０毎に入力する。そして、各調整回路４２ａ〜４２ｄは、それぞれ電流値指定信号に基づき入力した電流の電流値をＬＥＤ４０毎に調整する。これにより、輝度制御基板４１は、複数（本実施形態４つ）の調整回路４２ａ〜４２ｄにより、パルス電流の電流値を複数段階（本実施形態４段階）経て所望の電流値に調整することとなる。すなわち、変換回路４３が出力したパルス電流の電流値は、各調整回路４２ａ〜４２ｄにより段階的に調整されることとなる。
【００３３】
従って、本実施形態の輝度制御基板４１は、電源基板３５から出力された電流をパルス電流に変換する際、当該パルス電流のパルス幅及びその電流値をＬＥＤ４０毎に調整してＬＥＤ４０の輝度の階調制御を行う制御部となる。また、本実施形態の調整回路４２ａ〜４２ｄは、電流の電流値を調整する調整手段となる。また、本実施形態のサブＣＰＵ３１ａは、調整すべき電流値を各調整回路４２ａ〜４２ｄに指示する指示部となる。また、本実施形態の変換回路４３は、電源基板３５から入力した電流をパルス電流に調整する変換手段となる。
【００３４】
次に、電源基板３５から出力された電流がどのように調整されるかについて図６に基づき説明する。なお、以下では、電源基板３５から出力された出力電流の電流値は、１００Ａとして説明する。また、変換回路４３は、パルス電流指定信号を入力したものとして説明する。また、第１調整回路４２ａは、調整すべき電流値として５０Ａ（変換回路４３から入力したパルス電流の電流値に対して５０％の電流値にすること）を指定する電流値指定信号を入力したものとして説明する。また、第２調整回路４２ｂは、調整すべき電流値として３７．５Ａ（第１調整回路４２ａから入力したパルス電流の電流値に対して７５％の電流値にすること）を指定する電流値指定信号を入力したものとして説明する。また、第３調整回路４２ｃは、調整すべき電流値として３３．７５Ａ（第２調整回路４２ｂから入力したパルス電流の電流値に対して９０％の電流値にすること）を指定する電流値指定信号を入力したものとして説明する。また、第４調整回路４２ｄは、調整すべき電流値として３２．０６Ａ（第３調整回路４２ｃから入力したパルス電流の電流値に対して９５％の電流値にすること）を指定する電流値指定信号を入力したものとして説明する。
【００３５】
変換回路４３は、パルス電流指定信号を入力すると、当該パルス電流指定信号に基づき電源基板３５からの出力電流をパルス電流に変換する（図６（ａ）参照）。その際、変換回路４３は、パルス電流指定信号に基づきパルス電流のパルス幅を調整する。そして、変換回路４３は、変換したパルス電流を第１調整回路４２ａに出力する。
【００３６】
そして、第１調整回路４２ａは、変換回路４３から入力したパルス電流の電流値をサブＣＰＵ３１ａから入力した電流値指定信号に基づき調整する（図６（ｂ）参照）。具体的には、第１調整回路４２ａは、調整すべき電流値として５０Ａを指定する電流値指定信号を入力しているので、パルス電流の電流値を５０Ａに調整する。すなわち、第１調整回路４２ａは、入力したパルス電流の電流値が５０％となるように調整する。そして、第１調整回路４２ａは、電流値を調整した電流を第２調整回路４２ｂに出力する。同様に、第２調整回路４２ｂは、第１調整回路４２ａから入力したパルス電流の電流値をサブＣＰＵ３１ａから入力した電流値指定信号に基づき調整する（図６（ｃ）参照）。具体的には、第２調整回路４２ｂは、調整すべき電流値として３７．５Ａを指定する電流値指定信号を入力しているので、パルス電流の電流値を３７．５Ａに調整する。すなわち、第２調整回路４２ｂは、入力したパルス電流の電流値が７５％となるように調整する。そして、第２調整回路４２ｂは、電流値を調整した電流を第３調整回路４２ｃに出力する。
【００３７】
同様に、第３調整回路４２ｃは、第２調整回路４２ｂから入力したパルス電流の電流値をサブＣＰＵ３１ａから入力した電流値指定信号に基づき調整する（図６（ｄ）参照）。具体的には、第３調整回路４２ｃは、調整すべき電流値として３３．７５Ａを指定する電流値指定信号を入力しているので、パルス電流の電流値を３３．７５Ａに調整する。すなわち、第３調整回路４２ｃは、入力したパルス電流の電流値が９０％となるように調整する。そして、第３調整回路４２ｃは、電流値を調整した電流を第４調整回路４２ｄに出力する。同様に、第４調整回路４２ｄは、第３調整回路４２ｃから入力したパルス電流の電流値をサブＣＰＵ３１ａから入力した電流値指定信号に基づき調整する（図６（ｅ）参照）。具体的には、第４調整回路４２ｄは、調整すべき電流値として３２．０６Ａを指定する電流値指定信号を入力しているので、パルス電流の電流値を３２．０６Ａに調整する。すなわち、第４調整回路４２ｄは、入力したパルス電流の電流値が９５％となるように調整する。そして、第４調整回路４２ｄは、電流値を調整した電流をＬＥＤ４０に出力する。
【００３８】
輝度制御基板４１は、これらのパルス電流のパルス幅及び電流値の調整をＬＥＤ４０毎に行うことにより、各ＬＥＤ４０の輝度をそれぞれ調整する。これにより、サブＣＰＵ３１ａが決定した演出内容（発光態様）で予告ランプ２５は発光する。
【００３９】
このように輝度制御基板４１は、パルス電流のパルス幅及び電流値を調整してＬＥＤ４０の輝度の階調制御を行う。そして、ＬＥＤ４０の輝度をある程度以下にする場合には、パルス電流のパルス幅を所定幅よりも短くせずにパルス電流の電流値を小さくする。このようにパルス幅を所定幅よりも短くしないため、ＬＥＤ４０が発光していない時間が長くなりすぎることはなく、ＬＥＤ４０の輝度がある程度以下となった場合でもちらつきが目立つことがない。
【００４０】
また、第１調整回路４２ａ→第２調整回路４２ｂ→第３調整回路４２ｃ→第４調整回路４２ｄの順番で電流値の調整を行い、段階が進むほど電流値の調整を細かくできるようにした。また、第１調整回路４２ａ→第２調整回路４２ｂ→第３調整回路４２ｃ→第４調整回路４２ｄの順番で調整精度を高くした。すなわち、細かい電流値の調整が要求される調整回路ほど、調整精度を高くした。このため、輝度制御基板４１は、電流値の細かい調整を確実に行うことができる。また、電流値の調整を１度に（１段階で）行う場合、調整可能な電流値の範囲が広く、高精度な調整が可能な回路が必要となるが、このような回路は一般的に製造コストが高くなる。しかし、本実施形態では、電流値の調整を特性の異なる４つの調整回路４２ａ〜４２ｄで４段階を経て行うこととしたため、このような高価な回路を必要としない。
【００４１】
また、サブＣＰＵ３１ａは、変換回路４３及び４つの調整回路４２ａ〜４２ｄに対して複数回に分けて制御信号を出力する。このため、演出制御基板３１は、制御信号を入出力するための入出力ラインの本数を少なくすることができる。すなわち、本実施形態では、パルス電流のパルス幅及びパルス電流を細かく調整するために制御信号が大きくなる傾向がある。しかし、複数回に分けて制御信号を出力するため、パルス電流を細かく調整する場合にも演出制御基板３１の入出力ラインの増加を抑えることができる。
【００４２】
以上のように輝度制御基板４１は、電流値を細かく確実に調整するので、ＬＥＤ４０の輝度の階調制御を細かく確実に行うことができる。従って、予告ランプ２５にて大当り予告を行うとき、大当り予告を鮮やかに行うことができる。すなわち、本実施形態の大当り予告では、ＬＥＤ４０の輝度及びＬＥＤ４０の発光数の違いが大当り予告Ｙ１と大当り予告Ｙ２との違いとなっているので、この違いを明確に認識することができる。また、パルス幅及び電流値を調整してＬＥＤ４０の輝度の階調制御を細かく行うため、ＬＥＤ４０の輝度がある程度以下となった場合でも、ちらつきが目立たないようにＬＥＤ４０の輝度を徐々に小さくすることができる。従って、自然にＬＥＤ４０が消えていく様子を見せることができる。
【００４３】
以上詳述したように、本実施形態は、以下の効果を有する。
（１）パルス幅の調整（パルス幅変調）だけでＬＥＤ４０の輝度を調整する場合、ＬＥＤ４０の輝度を小さくするためにパルス幅を短くしすぎると、ＬＥＤ４０が発光していない期間が長くなり、ＬＥＤ４０のちらつきが目立つ。このため、ある程度の輝度以下では、ＬＥＤ４０を鮮やかに発光させることができなかった。しかしながら、本実施形態では、パルス電流のパルス幅だけでなく電流値も調整してＬＥＤ４０に出力するので、ＬＥＤ４０のちらつきが目立たない程度のパルス幅を保ちながら電流値を小さくすることで、輝度を小さくすることができる。このため、ある程度の輝度以下でも、ＬＥＤ４０の輝度の階調制御を行ってＬＥＤ４０を鮮やかに発光させることが可能である。従って、ＬＥＤ４０の輝度の階調制御を行って、予告ランプ２５による大当り予告（遊技演出）を鮮やかに行うことができる。
【００４４】
（２）また、複数の調整回路４２ａ〜４２ｄにより電流の電流値を複数段階を経て調整するため、特性の異なる調整回路４２ａ〜４２ｄを効果的に使用することができ、各ＬＥＤ４０の輝度の階調制御をより細かく確実に行うことができる。従って、複数のＬＥＤ４０から構成される予告ランプ２５による遊技演出を鮮やかに行うことができる。
【００４５】
（３）輝度制御基板４１は、パルス電流に変換してからパルス電流の電流値の調整を行う。このため、各ＬＥＤ４０の輝度を小さくする際、消費電力を抑えることができる。
（４）調整後の電流値を各調整回路４２ａ〜４２ｄに指示するサブＣＰＵ３１ａを備えた。すなわち、サブＣＰＵ３１ａは、輝度制御基板４１への指示を複数回に分けて出力する。このため、サブＣＰＵ３１ａから輝度制御基板４１への指示を示す制御信号（電流値指定信号）を複数回に分けて出力することができ、制御信号を入出力するための入出力ラインの本数を少なくすることができる。
【００４６】
尚、上記実施形態は、次のような別の実施形態（別例）にて具体化できる。
○上記実施形態では、調整回路４２ａ〜４２ｄを４つ設け、４つの調整回路４２ａ〜４２ｄにより４段階で電流値を調整したが、複数段階であるならば、任意の段階で調整してもよい。例えば、２段階、３段階又は５段階で調整してもよい。
【００４７】
○上記実施形態では、演出制御基板３１と輝度制御基板４１とを別の基板で構成したが、１つの基板で一体的に構成しても良い。
○上記実施形態では、調整回路４２ａ〜４２ｄは、パルス電流の電流値を調整したが、パルス電流の電圧値を調整するようにしても良い。
【００４８】
○上記実施形態の輝度制御基板４１に、変換回路４３を設けて電源基板３５から入力した電流をパルス電流に変換したが、電流値を調整するならば、変換回路４３を設けずに入力した電流をパルス電流に変換しなくても良い。
【００４９】
○上記実施形態の変換回路４３を別の基板に設けても良い。例えば、電源基板３５に設けても良い。
○上記実施形態の予告ランプ２５に、大当り予告以外の遊技演出を行わせても良い。例えば、図柄を変動表示させて図柄組み合わせゲームを実行させてもよい。
【００５０】
○上記実施形態の予告ランプ２５に文字やキャラクタなどの画像を表示させても良い。このように予告ランプ２５が画像表示した場合、遊技者は、隣接する発光体の階調が細かく制御されていることを認識することができる。従って、遊技演出が鮮やかに行われていることを印象づけることができる。
【００５１】
○上記実施形態において、調整回路４２ａ〜４２ｄが電源基板３５からの出力電流の電流値を調整してから変換回路４３がパルス電流に変換しても良い。
○上記実施形態では、パルス電流の出力クロックを調整しなかったが、調整するようにしても良い。この場合、演出制御基板３１のサブＣＰＵ３１ａが、パルス電流の出力クロックを指示する制御信号を変換回路４３に出力することとなる。このようにパルス電流の出力クロックを調整すると、パルス電流のパルス幅が一律に増減するので、各ＬＥＤ４０の輝度を一律に調整することができる。従って、各ＬＥＤ４０の輝度をそれぞれ調整しなくても、各ＬＥＤ４０の輝度のバランスを維持したまま、予告ランプ２５全体の輝度を簡単に調整することができる。
【００５２】
○上記実施形態において、予告ランプ２５にて大当り予告を行う際、可変表示器Ｈにも所定のキャラクタを表示するようにしても良い。予告ランプ２５にて行われる大当り予告と連動して可変表示器Ｈにキャラクタが表示されるので、遊技の興趣を向上することができる。
【００５３】
○上記実施形態では、予告ランプ２５を丸形にしたが、台形や三日月形状など任意の形にしても良い。この場合、ＬＥＤ４０は、予告ランプ２５の形状に合わせて配置する必要がある。
【００５４】
○上記実施形態では、ＬＥＤ４０毎に輝度の階調制御を行ったが、所定個数のＬＥＤ毎に輝度の階調制御を行っても良い。
次に、上記実施形態及び別例から把握できる技術的思想を以下に追記する。
【００５５】
（イ）調整すべき電流値を前記各調整手段に指示する指示部を備えたことを特徴とする請求項２又は請求項３に記載の遊技機。
（ロ）前記演出手段は、画像表示可能に構成されていることを特徴とする請求項１〜請求項４のうちいずれか一項に記載の遊技機。
【００５６】
（ハ）前記制御部は、電流の電圧値を調整する調整手段を複数備え、前記複数の調整手段によって電流の電圧値を複数段階経て所望の電圧値に調整することを特徴とする請求項４に記載の遊技機。
【００５７】
（ニ）前記制御部は、前記パルス電流の出力クロックを調整可能に構成されていることを特徴とする技術的思想（ハ）に記載の遊技機。
【図面の簡単な説明】
【００５８】
【図１】パチンコ遊技機の機表側を示す正面図。
【図２】表示装置の正面図。
【図３】パチンコ遊技機の制御構成を示すブロック図。
【図４】（ａ）及び（ｂ）は、大当り予告の演出内容を説明するための模式図。
【図５】輝度制御基板の制御構成を示すブロック図。
【図６】（ａ）〜（ｅ）は、電流の出力タイミング及び出力時における電流値を示すタイミングチャート。
【符号の説明】
【００５９】
１０…パチンコ遊技機（遊技機）、２０…表示装置、２５…予告ランプ（演出手段）、３０…主制御基板、３０ａ…メインＣＰＵ、３１…演出制御基板、３１ａ…サブＣＰＵ（指示部）、３５…電源基板（出力部）、４０…ＬＥＤ（発光体）、４１…輝度制御基板（制御部）、４２ａ〜４２ｄ…調整回路（調整手段）、４３…変換回路、Ｈ…可変表示器。
【図１】
2006223370.tif 000003
【図２】
2006223370.tif 000004
【図３】
2006223370.tif 000005
【図４】
2006223370.tif 000006
【図５】
2006223370.tif 000007
【図６】
2006223370.tif 000008